(57)【要約】      （修正有）【課題】チューリップの量産を計るためのエコロジー処理コンピュータを提供する。【解決手段】モデルになる自然花のチューリップの開花を高速度カメラで撮影して作ったチューリップのＣＧ合成動画を、タッチパネルＴＶとＰＲＯＭとを含む情報処理装置により、温室の扉開閉具の開閉による温度湿度制御部と時間制御部で、太陽エネルギーの利用に連携する。【選択図】図１
0003162516.tif 000002
【実用新案登録請求の範囲】
【請求項１】
ＣＧ合成の動画によるチューリップの開花をシュミレーションとしてエネルギー一定のエネルギー・フィールドに於ける移相制御の情報化としてきたＴＶ含む情報処理装置、その情報を使用する事により環境技術の向上として太陽エネルギーの利用による温室のように太気エネルギーを扉開閉等による温・湿度時間制御を追加してチューリップの開花の動画アナロジー制御により自然花開花の生物学的仕事エコロジーの処理を果しますが、情報処理装置・コンピュータにケシゴムつきエンピツのように結合した環境技術の向上のエネルギー制御デバイス（発明・工夫・装置・わな・仕掛け）により生物学、化学、物理学、地学的仕事エコロジーの処理を果すのでエコロジー処理コンピュータと呼ぶ事にする。
【請求項２】
エコロジーの処理を果す事の情報化デバイス時間制御のコンピュータ化するための１００万分の１秒高速度カメラっを具備する事を特徴とする請求項１記載のエコロジー処理コンピュータ。
【請求項３】
ＴＶ含む情報処理装置にタッチパネルＴＶを採用し、その情報をＰＲＯＭ創りに使用する事により、エネルギー制御デバイスの制御情報として扉開閉をする事によるエコロジーの処理を果すタッチパネルＴＶを具備する事を特徴とする請求項１記載のエコロジー処理コンピュータ。
【請求項４】
エネルギー制御デバイスの制御情報を格納するＰＲＯＭを具備する事を特徴とする請求項１記載のエコロジー処理コンピュータ。
【考案の詳細な説明】
【技術分野】
【０００１】
本考案は、従来の温室チューリップのためのマンマシンインターオペラビリティ向上温室に関する。
【背景技術】
【０００２】
ハウステンボスでは、温室チューリップの促成管理が研究されている温室チューリップシステムです。
【考案の概要】
【考案が解決しようとする課題】
【０００３】
しかしながら、温室チューリップシステムでは、マンマシンインターオペラビリティ向上に限度（情報処理コンピュータによるシュミレーションまで）がある。
【０００４】
本考案は、上記実情に鑑みてなされたものであり、ＴＶ含む情報処理装置のシュミレーション技術情報の精度向上にエネルギー制御デバイスを結合したエコロジー処理コンッピュータ創りを目的としている。
【課題を解決するための手段】
【０００５】
上記目的を達成するため考案は、ＴＶ含む情報処理装置のＣＧ合成動画チューリップにアナロジー制御する環境技術の向上エネルギー制御デバイスを結合してマンマシンインターオペラビリティ向上を計った次の構成を含む事を特徴としている。タッチパネルＴＶのＣＧ合成動画にアナロジー制御のＰＲＯＭ創りに温室の温湿度時間制御の扉開閉モータ制御エネルギー制御デバイスで自然花チューリップ開花を１００万分の１秒高速度カメラで撮り、ＣＧ合成動画作りの精度向上を計り、更なるマンマシンインターオペラビリティ向上温室チューリップのエコロジー処理コンピュータ創りとしている。
【考案の効果】
【０００６】
本考案により、自然花チューリップ開花の環境技術の向上を限りなくマンマシンインターオペラビリティ向上が計れる生物学的仕事エコロジーの処理が可能となり従来のＴＶ含む情報処理装置のシュミレーションのみのマンマシンインターフェイス向上情報処理からエコロジー処理コンピュータ創りへの革新が計れた。
【図面の簡単な説明】
【０００７】
【図１】本考案のエコロジー処理コンピュータを示す図である。エコロジー処理コンピュータは、図１に示すようにＴＶ含む情報処理装置１、温室２、扉開閉具３、エネルギー制御デバイス４、１００万分の１秒高速度カメラ５、温湿度制御部６、時間制御部７、ＣＧ合成動画８、自然花チューリップ開花９、太陽エネルギー１０、タッチパネルＴＶ１１、ＰＲＯＭ１２
【考案を実施するための形態】
【０００８】
本考案の実施の形態の一例について、図面を参照しながら説明する。
エコロジー処理コンピュータは、図１に示すようにＴＶ含む情報処理装置１の有するタッチパネルＴＶ１１により自然花チューリップ開花９、をＣＧ合成動画チューリップ８、にアナロジー制御するＰＲＯＭ１２に創り温室２の扉開閉具３、を通して太陽エネルギー１０の温湿度制御部６、時間制御部７の情報フィードバックによりエネルギー制御デバイス４により扉開閉の制御によりエコロジーの処理環境技術の向上を計るマンマシンインターオペラビリティ向上エコロジー処理コンピュータとし、１００万分の１秒高速度カメラ５により更なる精度向上のＣＧ合成動画チューリップ８創りとするもの。
【符号の説明】
【０００９】
１        ＴＶ含む情報処理装置
２        温室
３        扉開閉具
４        エネルギー制御デバイス
５        １００万分の１秒高速度カメラ
６        温湿度制御部
７        時間制御部
８        ＣＧ合成動画
９        自然花チューリップ開花
１０        太陽エネルギー
１１        タッチパネルＴＶ
１２        ＰＲＯＭ
【図１】
0003162516.tif 000003
【手続補正書】
【提出日】平成21年11月20日(2009.11.20)
【手続補正１】
【補正対象書類名】実用新案登録請求の範囲
【補正対象項目名】請求項１
【補正方法】変更
【補正の内容】
【請求項１】
Ｃ、Ｇ合成の動画によるチューリップの開花をシミュレーションとしてタッチパネルＴＶとその選択肢で作るＰＲＯＭを含む情報処理装置。その情報をＰＲＯＭで使用する事により環境技術の向上として太陽エネルギーの利用による温度と扉開閉具による温湿度時間制御をするエネルギー制御デバイスを追加してチューリップの開花の動画アナロジー制御により１００万分の１秒高速度カメラにより自然開花の生物学的仕事エコロジー処理の情報化を果す構成のエコロジー処理コンピュータ。
【手続補正書】
【提出日】平成22年1月8日(2010.1.8)
【手続補正１】
【補正対象書類名】実用新案登録請求の範囲
【補正対象項目名】請求項１
【補正方法】変更
【補正の内容】
【請求項１】
Ｃ、Ｇ、合成の動画によるチューリップの開花のシミュレーション画像にそっくりにチューリップの開花のアナロジー制御を太陽エネルギーの利用による温度と扉開閉具による温湿度時間制御をするエネルギー制御をタッチパネルＴＶとその選択肢で作るＰＲＯＭを含む情報処理装置によるコンピュータコントロールのシステム構成としてそれを１００万分の１秒高速度カメラによりエコロジーとしての自然開花の生物学的仕事エコロジー処理の情報化で検証するエコロジー処理コンピュータ。
【手続補正書】
【提出日】平成22年2月19日(2010.2.19)
【手続補正１】
【補正対象書類名】実用新案登録請求の範囲
【補正対象項目名】全文
【補正方法】変更
【補正の内容】
【実用新案登録請求の範囲】
【請求項１】
ＣＧ合成の動画によるチューリップの開花のシミュレーション画像にそっくりにチューリップの開花のアナロジー制御を太陽エネルギーの利用による温度と温室の扉開閉具による温湿度時間制御をするエネルギー制御デバイスによるエネルギー制御をタッチパネルＴＶとその選択肢で作るＰＲＯＭを含む情報処理装置によるコンピュータコントロールのシステム構成としてそれを１００万分の１秒高速度カメラにより温度・湿度制御部を時間制御部によりエネルギー制御するエコロジーとしての自然開花するチューリップの生物学的仕事エコロジー処理の情報化で検証するエコロジー処理コンピュータ。
【手続補正書】
【提出日】平成22年4月6日(2010.4.6)
【手続補正１】
【補正対象書類名】実用新案登録請求の範囲
【補正対象項目名】請求項１
【補正方法】変更
【補正の内容】
【請求項１】
太陽エネルギーの利用による温度と温室の扉開閉具による温湿度時間制御をするエネルギー制御デバイスとしてタッチパネルＴＶとその映像情報の選択肢で作るＰＲＯＭを含む情報処理装置によるコンピュータコントロールでモータ制御するためエコロジーとしての自然開花をするチューリップを１００万分の１秒高速度カメラにより検証する構成のエコロジー処理コンピュータ。
【手続補正書】
【提出日】平成22年6月30日(2010.6.30)
【手続補正１】
【補正対象書類名】実用新案登録請求の範囲
【補正対象項目名】全文
【補正方法】変更
【補正の内容】
【実用新案登録請求の範囲】
【請求項１】
モデルになる自然花のチューリップの開花を高速度カメラで撮影して作ったチューリップのＣＧ合成動画をタッチパネルＴＶとＰＲＯＭとを含む情報処理装置により温室の扉開閉具の開閉による温度湿度制御部と時間制御部で太陽エネルギーの利用に連携することでモデル花のエコロジーに似せたチューリップの量産を計るために構成したエコロジー処理コンピュータ。